(57)【要約】【課題】  仮枠に生コンクリートを打ち込む際、コンクリート打ち込み口より、仮枠内部に生コンクリートを均一に充填することができるコンクリート圧入装置を提供する。【解決手段】  仮枠に生コンクリートを打ち込む際、仮枠に固定されたコンクリート圧入装置のコンクリート圧入口を仮枠面に対して水平方向に３６０度回転できるように構成したため、一箇所のコンクリート打ち込み口から、その周囲３６０度に生コンクリートを均一に打ち込む事が出来るようになり、仮枠に取付けるコンクリート圧入装置の個数を減らすことを可能とする仮枠用回転式コンクリート圧入装置を提供する。【選択図】図１
2007191999.tif 000002
【特許請求の範囲】
【請求項１】
コンクリート圧入装置のコンクリート圧入口が仮枠面に対して水平方向に３６０度回転することを特徴とする仮枠用回転式コンクリート圧入装置。
【請求項２】
コンクリート圧入装置の管体下部に開閉蓋収納部を設け、その開閉蓋収納部の内部に、一端が管体に対して回動するように支持された平板状のコンクリート逆流防止用開閉蓋を取付け、他端が管体に対して直角方向に回転して、コンクリート吐出口を開閉するように構成したことを特徴とする請求項１記載の仮枠用回転式コンクリート圧入装置。
【請求項３】
コンクリート圧入装置の底板の生コンクリートに接する面に、円盤状のコンクリート逆流防止用開閉蓋を設け、その円盤状のコンクリート逆流防止用開閉蓋に固定された軸部を底板に設けた軸受けに挿入し、軸部を回転させることにより円盤状のコンクリート逆流防止用開閉蓋が回転して、コンクリート吐出口を開閉するように構成したことを特徴とする請求項１記載の仮枠用回転式コンクリート圧入装置。
【請求項４】
コンクリート圧入装置の管体下部に開閉蓋収納部を設け、その開閉蓋収納部に横長の開口部を開け、さらに開閉蓋収納部の内部に、底板と平行になるようなスライド溝を取付け、そのスライド溝に対して、平板状のコンクリート逆流防止用開閉蓋を差込み、そのコンクリート逆流防止用開閉蓋が開閉蓋収納部の内部を前後に平行移動する事により、コンクリート吐出口を開閉するように構成したことを特徴とする請求項１記載の仮枠用回転式コンクリート圧入装置。
【請求項５】
コンクリート圧入装置の底板に、細長いスライド穴を開け、そのスライド穴に対して、底板のコンクリート面に設けた平板状のコンクリート逆流防止用開閉蓋の軸部を挿入し、その軸部を前後に移動することにより、コンクリート逆流防止用開閉蓋がコンクリート吐出口を開閉するように構成したことを特徴とする請求項１記載の仮枠用回転式コンクリート圧入装置。
【請求項６】
コンクリート圧入装置の管体内部に、コンクリート圧入口に固定可能で管体内部を前進、後退が可能な円盤状のコンクリート逆流防止用開閉蓋を設けたことを特徴とする請求項１記載の仮枠用回転式コンクリート圧入装置。
【請求項７】
コンクリート圧入装置の管体に、バイブレーター挿入穴を開け、そのバイブレーター挿入穴に対して、バイブレーター挿入穴の概ね２倍の内径のバイブレーター挿入パイプを取付けた事を特徴とする請求項１乃至６のいずれか一つに記載の仮枠用回転式コンクリート圧入装置。
【請求項８】
コンクリート圧入装置の管体内部に対して、管体内径より小さい半月状の円盤に、柄を取付けたコンクリート圧入口用スプーンを挿入し、管体に残った生コンクリートを掬い取ることが出来るようにした事を特徴とする請求項１乃至７のいずれか一つに記載の仮枠用回転式コンクリート圧入装置。
【請求項９】
コンクリート圧入装置の底板角部に、打ち込みした生コンクリートを観察するための穴を開け、その穴に対して、取外し可能な蓋を取付けたことを特徴とする請求項１乃至７のいずれか一つに記載の仮枠用回転式コンクリート圧入装置。
【発明の詳細な説明】
【技術分野】
【０００１】  この発明は、仮枠内に生コンクリートを打ち込む際に用いられる仮枠用回転式コンクリート圧入装置に関するものである。
【背景技術】
【０００２】  従来、この種のコンクリート圧入装置においては、例えば、仮枠に複数個のコンクリート圧入装置を設置し、そのコンクリート圧入口にはコンクリートポンプ車のコンクリート供給源から生コンクリートを圧送するための圧送管を接続し、この圧送管を通じて仮枠内に生コンクリートをポンプ圧送して充填することにより、生コンクリートの打設が行われている。【０００３】  さらに、このようなコンクリート圧入装置の管体は、生コンクリートを打ち込む際、生コンクリートが仮枠内部にスムーズに打ち込まれる様に、仮枠に対して約４５度傾け斜めに取り付けられている。【０００４】  かかる生コンクリートを打ち込む構造としては、例えば、特許文献１に記載されたようなものがある。これによると、コンクリート圧送管は、仮枠に対して斜めに取付けられており、生コンクリートが仮枠内部にスムーズに打ち込まれるように構成されている。
【特許文献１】実願平５−６９００３
【発明の開示】
【発明が解決しようとする課題】
【０００５】  しかしながら、このような従来のものにあっては、床の仮枠に生コンクリートを打ち込む際、生コンクリートの吐出口方向が一定方向に固定されるため、生コンクリートが吐出口の一方方向に溜まり、吐出口が詰まることが多く発生していた。さらに一度、コンクリート圧入管が詰まると、コンクリート圧送管全体に詰まりを生じ、これを修復するために、大変な労力と時間を必要としていた。【０００６】  そこで、この発明は、仮枠に生コンクリートを打ち込む際、一箇所のコンクリート打ち込み口から、その周囲３６０度に一度で生コンクリートを同時に打ち込む事により、コンクリート圧送管全体の詰まりを無くすと共に、仮枠に取付けるコンクリート圧入装置の個数を大幅に減らし、工期の短縮と共に、コストを大幅に低減できる、仮枠用回転式コンクリート圧入装置を提供することを課題としている。
【課題を解決するための手段】
【０００７】  かかる課題を達成するために、請求項１に記載の発明は、コンクリート圧入装置のコンクリート圧入口が仮枠面に対して水平方向に３６０度回転することを特徴とする。【０００８】  請求項２に記載の発明は、請求項１に記載の装置に加え、コンクリート圧入装置の管体下部に開閉蓋収納部を設け、その開閉蓋収納部の内部に、一端が管体に対して回動するように支持された平板状のコンクリート逆流防止用開閉蓋を取付け、他端が管体に対して直角方向に回転して、コンクリート吐出口を開閉するように構成したことを特徴とする。【０００９】  請求項３に記載の発明は、請求項１に記載の装置に加え、コンクリート圧入装置の底板の生コンクリートに接する面に、円盤状のコンクリート逆流防止用開閉蓋を設け、その円盤状のコンクリート逆流防止用開閉蓋に固定された軸部を底板に設けた軸受けに挿入し、軸部を回転させることにより円盤状のコンクリート逆流防止用開閉蓋が回転して、コンクリート吐出口を開閉するように構成したことを特徴とする。【００１０】  請求項４に記載の発明は、請求項１に記載の装置に加え、コンクリート圧入装置の管体下部に開閉蓋収納部を設け、その開閉蓋収納部に横長の開口部を開け、さらに開閉蓋収納部の内部に、底板と平行になるようなスライド溝を取付け、そのスライド溝に対して、平板状のコンクリート逆流防止用開閉蓋を差込み、そのコンクリート逆流防止用開閉蓋が開閉蓋収納部の内部を前後に平行移動する事により、コンクリート吐出口を開閉するように構成したことを特徴とする。【００１１】  請求項５に記載の発明は、請求項１に記載の装置に加え、コンクリート圧入装置の底板に、細長いスライド穴を開け、そのスライド穴に対して、底板のコンクリート面に設けた平板状のコンクリート逆流防止用開閉蓋の軸部を挿入し、その軸部を前後に移動することにより、コンクリート逆流防止用開閉蓋がコンクリート吐出口を開閉するように構成したことを特徴とする。【００１２】  請求項６に記載の発明は、請求項１に記載の装置に加え、コンクリート圧入装置の管体内部に、コンクリート圧入口に固定可能で管体内部を前進、後退が可能な円盤状のコンクリート逆流防止用開閉蓋を設けたことを特徴とする。【００１３】  請求項７に記載の発明は、請求項１及至６のいずれか一つに記載の装置に加え、コンクリート圧入装置の管体に、バイブレーター挿入穴を開け、そのバイブレーター挿入穴に対して、バイブレーター挿入穴の概ね２倍の内径のバイブレーター挿入パイプを取付けた事を特徴とする。【００１４】  請求項８に記載の発明は、請求項１及至７のいずれか一つに記載の装置に加え、コンクリート圧入装置の管体内部に対して、管体内径より小さい半月状の円盤に、柄を取付けたコンクリート圧入口用スプーンを挿入し、管体に残った生コンクリートを掬い取ることが出来るようにした事を特徴とする。【００１５】  請求項９に記載の発明は、請求項１及至７のいずれか一つに記載の装置に加え、コンクリート圧入装置の底板角部に、打ち込みした生コンクリートを観察するための穴を開け、その穴に対して、取外し可能な蓋を取付けたことを特徴とする。
【発明の効果】
【００１６】  請求項１に記載の発明によれば、コンクリート圧入口が仮枠面に対して３６０度回転することを可能としたため、従来のように、床の仮枠に生コンクリートを打ち込む際、生コンクリートの吐出し方向が一定方向に固定されるために生コンクリートの吐出口の一方方向に生コンクリートが溜まり、吐出口のコンクリートが詰まると同時に、コンクリート圧送管全体が詰まることが少なくなると共に、仮枠に取付けるコンクリート圧入装置の個数を大幅に減らすことを可能となるため、工期の短縮につながると共に、大幅にコストの低減を図ることができる。【００１７】  請求項２に記載の発明によれば、コンクリート圧入装置の管体内部のコンクリート吐出口に、平板状の回転するコンクリート逆流防止用開閉蓋を設け、開閉蓋開閉レバーを操作することにより、簡単にコンクリート逆流防止用開閉蓋を開閉することが可能となったため、建築現場においてコンクリート逆流防止用開閉蓋を開閉するための工具を用意する必要がなくなり、建築現場における作業効率を大幅に高めることができる。【００１８】  請求項３に記載の発明によれば、円盤状のコンクリート逆流防止用開閉蓋をコンクリート圧入装置の底板に取付け、そのコンクリート逆流防止用開閉蓋をスプリングにより底板に密着させ、更にコンクリート逆流防止用開閉蓋の周辺部のコンクリート面側を斜めに面取り加工したため、生コンクリートの吐出口をコンクリート逆流防止用開閉蓋で開閉する際に、打ち込まれた生コンクリートによる抵抗圧力を減少させることができると共に、コンクリート逆流防止用開閉蓋と底板との間に生コンクリートが詰まることによりコンクリート逆流防止用開閉蓋が変形することを防止することが出来るようになるため、建築現場での操作が簡単になるばかりでなく、建築現場における作業効率も大幅に高めることができる。【００１９】  請求項４に記載の発明によれば、コンクリート圧入装置の管体と底板との間に、管体内部を前後に平行移動する、平板状のコンクリート逆流防止用開閉蓋を設けたため、簡単にコンクリート逆流防止用開閉蓋を開閉することが可能となり、コンクリート逆流防止用開閉蓋を開閉するための工具を用意する必要がなくなり、建築現場における作業効率を大幅に高めることができる。【００２０】  請求項５に記載の発明によれば、コンクリート圧入装置の底板の、コンクリート吐出口方向に対して細長いスライド穴を開け、そのスライド穴に対して底板の生コンクリート面に設けた、平板状のコンクリート逆流防止用開閉蓋の軸部を挿入し、バネ座金でコンクリート逆流防止用開閉蓋を底板に密着させ、更にコンクリート逆流防止用開閉蓋周辺部のコンクリート側面を面取り加工し、その軸部をスライド穴に対して前後に移動することにより、コンクリート吐出口を開閉するようにしたため、生コンクリートの吐出口をコンクリート逆流防止用開閉蓋で開閉する際に、打ち込まれた生コンクリートの抵抗圧力を減少させることができると共に、コンクリート逆流防止用開閉蓋と底板との間に生コンクリートが詰まることによりコンクリート逆流防止用開閉蓋が変形することを防止することが出来るようになるため、建築現場で簡単に操作することが可能となり、建築現場における��業効率も大幅に高めることができる。【００２１】  請求項６に記載の発明によれば、コンクリート圧入装置の管体内部に対して、コンクリート圧入口に固定可能で管体内部を前進、後退が可能なコンクリート逆流防止用開閉蓋を設けたため、簡単な構造で建築現場で容易に操作することが可能となり、建築現場における作業効率を大幅に高めることができる。【００２２】  請求項７に記載の発明によれば、仮枠にバイブレーター専用の挿入口を設けることなく、コンクリート圧入装置の管体を利用して、管体にバイブレーター挿入穴を開けることにより、仮枠にバイブレーター専用の挿入口を設ける手間と費用が不要となり、工期の短縮につながると共に、大幅にコストの低減を図ることができる。【００２３】  請求項８に記載の発明によれば、コンクリート圧入装置を利用して、管体内径より小さい半月状の円盤に柄を取付けたコンクリート圧入口用スプーンを挿入し、管体に残った生コンクリートを掬い取ることができるように構成したため、仮枠に生コンクリートを打ち込む際、従来、管体の内部に残った生コンクリートを人間の手により掬い取っていたものが、簡単に生コンクリートを掬い取ることが出来るようになると共に、最終的に打ち込むコンクリートポンプ車からの生コンクリートの量を微調整することが不要となり、さらに管体内の生コンクリートの打ち込み面を平滑に仕上げることが可能となる。【００２４】  請求項９に記載の発明によれば、コンクリート圧入装置の底板角部に、打ち込みした生コンクリートを観察するための穴を開けたため、従来のように、生コンクリートの打ち込み量を経験と勘に頼っていたものが、生コンクリートの打ち込み状態を観察しながら生コンクリートの量を調整することが可能となると共に、その穴をバイブレーター挿入穴として利用することもできるため、生コンクリートの無駄を省くと共に建築現場における作業効率を大幅に高めることができる。
【実施例１】
【００２５】  以下、この発明の実施の形態について説明する。
［発明の実施の形態１］【００２６】  図１及至図１７には、この発明の実施の形態１を示す。【００２７】  図１は仮枠用回転式コンクリート圧入装置の斜視図である。コンクリートポンプ車（図示せず）から生コンクリートを仮枠に打ち込む際は、コンクリートポンプ車からのホースをコンクリート圧入口１のコンクリート圧入口固定リング７に固定し、管体２を経由して、コンクリート吐出口３０より仮枠に打ち込まれる。また、仮枠嵌込枠２９は図３のように、固定用角材６と外枠４と底板５により箱型に形成され、その底板５に開けられた底板穴１９に対して、底板穴１９の内径より多少小さく構成された回転円盤１３が、回転自在に組み込まれ、その回転円盤１３の上部には管体２が、概ね４５度の角度で溶接されている。そして、その回転円盤１３を挟み込むように、回転円盤１３の上部には、上部固定用穴あき円盤９が、下部には下部固定用穴あき円盤１１が配置され、固定ネジ８がワッシャー８ａ、ネジ穴２１、ネジ穴２２、を介してタップ穴２３に挿入されて固定されるため、図２に示すように、回転円盤１３は底板５に対して、３６０度回転自在の状態で回転することができる。なお、上部固定用穴あき円盤９と下部固定用穴あき円盤１１の外形寸法と内径寸法は、概ね同寸法に作られている。【００２８】  さらに、図２、図３に示すように、仮枠嵌込枠２９は仮枠パネル１２に設けられたパネル枠１４に、仮枠固定穴１０を介して釘３１で固定され、土間１７と捨てコンクリート１６の上部に構築される仮枠に固定される。【００２９】  また、図３に示すように、仮枠嵌込枠２９には、底板５の角部に覗き穴２８が開けられており、その覗き穴２８は一枚の平板を角部に合わせて折り曲げ構成した、覗き穴塞ぎプレート３により塞がれるように構成され、パネル枠１４に対して固定穴２４、固定穴２５を介して釘２７により固定される。なお、図３においては、覗き穴２８は角部一箇所に記載されているが、必要に応じて、残り３箇所の角部に設けてもかまわない。【００３０】  図４は回転式コンクリート圧入口開閉装置の断面図である。管体２の下部の開閉蓋収納部４０は、回転式コンクリート圧入口開閉蓋４１が、概ね９０度回動自在に動くことが出来るように、管体２の内径より広く構成されており、その開閉蓋収納部４０と管体２とは溶接等により結合されている。さらに図５に示すように、回転式コンクリート圧入口開閉蓋４１には回転式コンクリート圧入口開閉蓋４１を回動させるための開閉蓋開閉レバー４２が取付けられており、図５ｂに示すように、開閉蓋開閉レバー４２を矢印４５の方向に操作することにより、回転式コンクリート圧入口開閉蓋４１は矢印４４の方向に回動して、開閉蓋収納部４０の上部に設けられた、当接部４３に当接してコンクリート吐出口３０を塞ぐ。【００３１】  図６及至図９は円盤型コンクリート圧入口開閉装置を示す。【００３２】  この装置においては、図８に示すように、円盤型コンクリート圧入口開閉装置の底板５の軸受穴６１に対して、図９に示すように、下部にリング５４ａが固定された軸受５４が固定され、その軸受５４に対して、上端に回動用ナット４６が設けられ、その下部がネジ部４７とストッパー用ナット５５と軸部５９と開閉蓋���０で構成された円盤型コンクリート開閉蓋６２の軸部５９が挿入される。【００３３】  このように挿入された軸部５９にはストッパー用ナット５５にナット契合部５３ａが契合するようにストッパー５３が嵌め込まれ、さらにネジ部４７に対して、ワッシャー５１ａとスプリング５２さらにワッシャー５１、固定ナット４９、４８が嵌め込まれ、その固定ナット４９、４８を締め付けることにより、スプリング５２の力で開閉蓋５０がコンクリート吐出口３０に対して密着される。【００３４】  このように構成された回動用ナット４６にレンチ６０を挿入し回転させることにより、開閉蓋５０が図７の矢印２０のように回転してコンクリート吐出口３０を開閉させる。【００３５】  また、開閉蓋５０の蓋周辺部５７は、図８ａ拡大図に示すように、生コンクリート面側を面取り加工したため、図７に示すように、コンクリート吐出口３０を矢印２０のように開閉蓋５０で開閉する際に、打ち込まれた生コンクリートによる抵抗圧力を減少させることができる。【００３６】  さらに、図６に示すように、底板５の上部の定位置にＬ型の止め金具５８を固定すれば回動用ナット４６をレンチ６０で回動した際、ストッパー５３の当接部５３ｂが止め金具５８に当接し、開閉蓋５０が停止する位置を一定にすることができる。【００３７】  図１０は水平移動型コンクリート圧入口開閉装置の斜視図である。管体２と回転円盤１３との間に、水平開閉蓋収納部６９を設け、その水平開閉蓋収納部６９の下側部分に開口部６８を開け、その水平開閉蓋収納部６９内部の左右壁面に、図１０ｃに示すように、コンクリート逆流防止用水平開閉蓋７０を挿入するためのスライド溝７５を取付け、コンクリート逆流防止用水平開閉蓋７０のスライド用取っ手７１を、スライド溝７５に対して前後に動かすことにより、平板状のコンクリート逆流防止用水平開閉蓋７０がコンクリート吐出口３０を開閉するように構成されている。【００３８】  さらに、コンクリート逆流防止用水平開閉蓋７０でコンクリート吐出口３０を塞ぐ場合は、図１０ａ、図１０ｂに示すように、ストッパー受部７４に回動自在に取付けられたストッパー７３により、スライド用取っ手７１を固定しておく。【００３９】  なお、コンクリート逆流防止用水平開閉蓋７０の角部７２は斜めにカットされており、スライド溝７５に小石等が挟まった場合に、コンクリート逆流防止用水平開閉蓋７０が閉まらなくなることを防止するための斜めカットである。【００４０】  図１１及至図１３は水平移動型コンクリート圧入口開閉装置を示す。【００４１】  この装置においては、図１１に示すように、水平移動型コンクリート圧入口開閉装置の底板５のスライド穴９１上部に、図１３に示すように、下部にリング８５ａが固定された軸受８５が置かれ、その軸受８５に対して、上部にネジ部８６が設けられ、その下部が軸８７と開閉蓋８９とで構成された、コンクリート逆流防止用開閉蓋７９の軸８７が挿入される。【００４２】  このように構成されたネジ部８６にはワッシャー８４とバネ座金８３、さらにナット８２、８１が嵌め込まれ、さらにその上部にレバー８０が捩込まれる。そしてナット８２、８１を締め付けることにより、バネ座金８３の力で開閉蓋８９がコ��クリート吐出口３０に対して密着される。なお、レバー８０はコンクリート逆流防止用開閉蓋７９を前後に動かす際に操作するためのものであり、レバー８０を前後に操作する事により、図１２に示すように、開閉蓋８９が開閉蓋８９ａの位置に移動する。【００４３】  また、開閉蓋８９に取付けられる、振れ止め軸８８は、軸８７と少し間をおいて開閉蓋８９に取付けられ、軸８７と同様にスライド穴９１に貫通されるため、開閉蓋８９はコンクリート吐出口３０に対して、がたつく事なく平行に移動することが可能となる。なお、軸８７と振れ止め軸８８の軸径はスライド穴９１に対して、あまり緩くならないような軸径にすることが望ましい。【００４４】  図１４と図１５は平行移動型コンクリート圧入口開閉装置を示す。【００４５】  図１４の平行移動型コンクリート圧入口開閉装置は、図１５ａに示すスライド蓋固定金物１０９と図１５ｂに示すスライド蓋１１１で構成されている。【００４６】  スライド蓋固定金物１０９は、スライド蓋１１１を、管体２に対して固定させるための金物で、コンクリート圧送口固定リング７に固定するための、コの字型の嵌込部１０８と、コンクリート圧送口固定リング７を銜え込むための銜込部１０６と、さらにＬ型金具１０１を固定するため、コの字型に形成された嵌込部１０７と、さらに嵌込部１０７の内部に固定された固定ナット１０４とその固定ナット１０４に契合された蝶型固定ネジ１００から構成されている。【００４７】  また、スライド蓋１１１は管体２の内径より少し狭く構成した円形のコンクリート塞ぎ円盤１０２と、そのコンクリート塞ぎ円盤１０２に、概ね直角に固定されるＬ型金具１０１と、Ｌ型金具１０１を固定するための止め穴１１０から構成されている。【００４８】  このように構成されたスライド蓋固定金物１０９は、図１４に示すように、コンクリート圧送口固定リング７に対してコの字型の嵌込部１０８が嵌め込まれ、その嵌め込まれた嵌込部１０７にＬ型金具１０１が挿入され、蝶型固定ネジ１０２を止め穴１１０に契合させ、締め付けることによりＬ型金具１０１は管体２の内部に固定される。【００４９】  図１６はコンクリート圧入口用バイブレーター挿入装置を示す。【００５０】  図１６ｂに示すように、管体２の側面にバイブレーター挿入穴１１７を開け、その穴の太さの概ね２倍の内径のバイブレーター挿入パイプ１１６をバイブレーター挿入穴１１７に対して、穴下部１１７ａがバイブレーター挿入パイプ１１６の下部内面と当接するように固定して溶接する。【００５１】  このように構成されたバイブレーター挿入口入口１１５よりバイブレーター（図示せず）を挿入し、挿入されたバイブレーターはバイブレーター挿入穴１１７より管体２内部を通過して仮枠内の生コンクリートの締め固めを行う。【００５２】  図１７はコンクリート圧入口用生コンクリート掬い取り装置を示す。【００５３】  この装置においては、この装置を操作するためのＬ型金具１０１と、そのＬ型金具１０１の先端に、管体２の内径より少し狭い半月状の半月状円盤１１９が回転円盤１３と平行になるように斜めに溶接される。【００５４】  このように構成したコンクリート圧入口用生コンクリート掬い取り装置を管体２内部に挿��し、前後に移動させるように操作することにより、管体２内に溜まった生コンクリートを掬い出すことができる。
【実施例２】
【００５５】  以下、この発明の実施の形態２について説明する。
［発明の実施の形態２］【００５６】  図１８と図１９は、この発明の実施の形態２を示す。上記発明の実施の形態１では、図１の様に、下部固定用穴あき円盤１１が底板５の下部に取り付けら、回転円盤１３が底板５と同一面上に構成されているのに対して、この発明の実施の形態２では、図１９に示すように、回転円盤１３０に２段の段差を設け、外側の回転円盤嵌込部１３０ａは底板５と嵌込リング１３１と上部固定用穴あき円盤１３２とに挟み込まれ、固定ネジ１３６によりワッシャー１３７、固定穴１３９、１４０、を介してタッブ穴１３４に固定されるため、回転円盤１３０の下面が底板５の下面と同一面状となり、回転円盤１３０は底板５に対して３６０度回動自在に回転する。その他の仮枠用回転式コンクリート圧入装置の構造は、この発明の実施の形態１と同様である。【００５７】  図２０は、この発明の実施の形態２を示す。上記発明の実施の形態１では、図１４の様に、コンクリート塞ぎ円盤１０２が管体２に対して、概ね直角に取付けられているが、この発明の実施の形態２では、図２０に示すように、楕円型コンクリート塞ぎ円盤１３８は回転円盤１３と同一面状になるようにＬ型金具１０１に対して斜めに構成され、Ｌ型金具１０１に取付けられている。その他の平行移動型コンクリート圧入口開閉装置の構造は、この発明の実施の形態１と同様である。【００５８】  以上、実施の形態に基づいて、本発明に係る仮枠用回転式コンクリート圧入装置とその取り扱い方法について詳細に説明してきたが、本発明は、以上の実施の形態に限定されるものではなく、発明の趣旨を逸脱しない範囲において各種の改変をなしても、本発明の技術的範囲に属するのはもちろんである。【００５９】  図５においては、開閉蓋収納部４０は６面体で構成され、その６面体の部分が、斜めに取付けられた管体２と同様に、前部が長く後部が短く成るように斜めに構成されているが、開閉蓋収納部４０は６面体にこだわる必要はなく、例えば、管体２の内部より広いパイプや中空角材を使用してもよい。また、回転式コンクリート圧入口開閉蓋４１は楕円形でなくとも、正方形や長方形等の変形された大きさの蓋であってもかまわない。さらに、開閉蓋開閉レバー４２は回転式コンクリート圧入口開閉蓋４１の一端に固定したが、開閉蓋開閉レバー４２を回転式コンクリート圧入口開閉蓋４１の中間部に固定して、回転式コンクリート圧入口開閉蓋４１をシーソーのように回転させてもよい。【００６０】  図１０のコンクリート逆流防止用開閉蓋先端部７６と、図１３の開閉蓋先端部９０並びに開閉蓋後端部９０ａには、図８ａ拡大図で示した面取り加工５６の図面が表示されていないが、図８ａ拡大図と同様に面取り加工がなされている。【００６１】  図１５ｂにおいて、Ｌ型金具１０１には止め穴１１０が開けられているが、蝶型固定ネジ１００でＬ型金具１０１を固定する際、打ち込む生コンクリートの量の多少により、この止め穴１１０にこだわらず、Ｌ型金具１０１を別の位置にて固定してもかまわない。また、図２０ｂのＬ型金具１０１においては、止め穴１１０が表記されていないが、止め穴１１０を設けてもかまわない。
【図面の簡単な説明】
【００６２】
【図１】この発明の実施の形態１に係る仮枠用回転式コンクリート圧入装置の斜視図である。
【図２】同実施の形態に係る仮枠用回転式コンクリート圧入装置の断面図である。
【図３】同実施の形態に係る仮枠用回転式コンクリート圧入装置の分解図である。
【図４】同実施の形態に係る回転式コンクリート圧入口開閉装置の断面図である。
【図５】同実施の形態に係る回転式コンクリート圧入口開閉装置の斜視図である。
【図６】同実施の形態に係る円盤型コンクリート圧入口開閉装置の斜視図である。
【図７】同実施の形態に係る円盤型コンクリート圧入口開閉装置の斜視図である。
【図８】同実施の形態に係る円盤型コンクリート圧入口開閉装置の平面図である。
【図９】同実施の形態に係る円盤型コンクリート圧入口開閉装置の分解図である。
【図１０】同実施の形態に係る水平移動型コンクリート圧入口開閉装置の斜視図である。
【図１１】同実施の形態に係る水平移動型コンクリート圧入口開閉装置の斜視図である。
【図１２】同実施の形態に係る水平移動型コンクリート圧入口開閉装置の斜視図である。
【図１３】同実施の形態に係る水平移動型コンクリート圧入口開閉装置の分解図である。
【図１４】同実施の形態に係る平行移動型コンクリート圧入口開閉装置の斜視図である。
【図１５】同実施の形態に係る平行移動型コンクリート圧入口開閉装置の分解図である。
【図１６】同実施の形態に係るコンクリート圧入口用バイブレーター挿入装置の斜視図である。
【図１７】同実施の形態に係るコンクリート圧入口用生コンクリート掬い取り装置の斜視図である。
【図１８】この発明の実施の形態２に係る仮枠用回転式コンクリート圧入装置の断面図である。
【図１９】同実施の形態に係る仮枠用回転式コンクリート圧入装置の断面図である。
【図２０】同実施の形態に係る平行移動型コンクリート圧入口開閉装置の斜視図である。
【符号の説明】
【００６３】１                    コンクリート圧入口
２                    管体
３                    覗き穴塞ぎプレート
５                    底板
６                    固定用角材
７                    コンクリート圧送口固定リング
９                    上部固定用穴あき円盤
１０                  仮枠固定穴
１１                  下部固定用穴あき円盤
１２                  仮枠パネル
１３                  回転円盤
１４                  パネル枠
１５                  鉄筋
１９                  底板穴
２８                  覗き穴
２９                  仮枠嵌込枠
３０                  コンクリート吐出口
４０                  開閉蓋収納部
４１                  回転式コンクリート圧入口開閉蓋
４２                  開閉蓋開閉レバー
５０                  開閉蓋
５３                  ストッパー
５４                  軸受
５６                  面取り加工
５７                  蓋周辺部
５８                  止め金具
５９                  軸部
６０                  レンチ
６９                  水平開閉蓋収納部
７０                  コンクリート逆流防止用水平開閉蓋
７１                  スライド用取っ手
７２                  角部
７５                  スライド溝
７６                  コンクリート逆流防止用開閉蓋先端部
７９                  コンクリート逆流防止用開閉蓋
８５                  軸受
８６                  ネジ部
８７                  軸
８８                  振れ止め軸
８９                  開閉蓋
９０                  開閉蓋先端部
１００                蝶型固定ネジ
１０１                Ｌ型金具
１０２                コンクリート塞ぎ円盤
１０８                コの字型の嵌込部
１０９                スライド蓋固定金物
１１０                止め穴
１１１                スライド蓋
１１５                バイブレーター挿入口入口
１１６                バイブレーター挿入パイプ
１１７                バイブレーター挿入穴
１１９                半月状円盤
１３０                回転円盤
１３１                嵌込リング
１３２                上部固定用穴あき円盤
１３８                楕円型コンクリート塞ぎ円盤
【図１】
2007191999.tif 000003
【図２】
2007191999.tif 000004
【図３】
2007191999.tif 000005
【図４】
2007191999.tif 000006
【図５】
2007191999.tif 000007
【図６】
2007191999.tif 000008
【図７】
2007191999.tif 000009
【図８】
2007191999.tif 000010
【図９】
2007191999.tif 000011
【図１０】
2007191999.tif 000012
【図１１】
2007191999.tif 000013
【図１２】
2007191999.tif 000014
【図１３】
2007191999.tif 000015
【図１４】
2007191999.tif 000016
【図１５】
2007191999.tif 000017
【図１６】
2007191999.tif 000018
【図１７】
2007191999.tif 000019
【図１８】
2007191999.tif 000020
【図１９】
2007191999.tif 000021
【図２０】
2007191999.tif 000022